(57)【要約】      （修正有）【課題】ベッドに対して安定して取り付けることができ、且つ使い勝手に優れたベッドサイドテーブルを提供する。【解決手段】ベッドサイドテーブル１は、テーブル板１０と、第１水平面２１及び第１鉛直面２２から成るＬ字型の第１屈曲板２０と、第２水平面３１及び第２鉛直面３２から成るＬ字型の第２屈曲板３０とを備えており、第１水平面２１と第２水平面３１が平行の状態で、第１鉛直面２２と第２鉛直面３２が面ファスナー４０で脱着自在に固定されることで、第１屈曲板２０と第２屈曲板３０はクランク形状を成し、テーブル板１０は第１水平面２１の上面に固定され、第２水平面３１はベッド１００の床板１０１とマットレス１０２の間に挿入される。第２鉛直面３２がマットレス１０２の側面に広い範囲で接触（面接触）するので、テーブル板１０が水平面内で回転して位置ずれする事態を防止できる。【選択図】図１
0003214554.tif 000002
【実用新案登録請求の範囲】
【請求項１】
テーブル板と、
第1水平面及び第1鉛直面から成るL字型の第1屈曲板と、
第2水平面及び第2鉛直面から成るL字型の第2屈曲板とを備えており、
前記第1水平面と前記第2水平面が平行の状態で、前記第1鉛直面と前記第2鉛直面が面ファスナーで脱着自在に固定されることで、第1屈曲板と第2屈曲板はクランク形状を成し、
前記テーブル板は前記第1水平面の上面に固定され、
前記第2水平面はベッドの床板とマットレスの間に挿入されることを特徴とするベッドサイドテーブル。
【請求項２】
前記テーブル板の一部が前記第1水平面の屈曲方向とは反対方向に露出しており、
前記テーブル板の前記露出した部分と、前記第2水平面とで前記マットレスを上下から挟み込むことを特徴とする請求項1に記載のベッドサイドテーブル。
【請求項３】
前記テーブル板は前記第1水平面の上面に面ファスナーによって脱着自在に固定されることを特徴とする請求項1又は2に記載のベッドサイドテーブル。
【請求項４】
前記第1鉛直面と前記第2鉛直面とが固定された状態で、一端が前記第1鉛直面の表面に脱着自在に固定され、他端が前記第2鉛直面の表面に脱着自在に固定されることで、前記第1鉛直部と前記第2鉛直部の固定が弱まることを防止する固定補強部材を備えることを特徴とする請求項1〜3のいずれか一項に記載のベッドサイドテーブル。
【請求項５】
前記テーブル板が、その縁部が立ち上がったトレイ形状であることを特徴とする請求項1〜4のいずれか一項に記載のベッドサイドテーブル。
【考案の詳細な説明】
【技術分野】
【０００１】
本考案は、ベッドに対して安定して取り付けることができ、且つ使い勝手に優れたベッドサイドテーブルに関する。
【背景技術】
【０００２】
ベッドの横に置いてメガネ、携帯電話、リモコン等を載せるためのベッドサイドテーブルが知られている。
例えば特許文献1には、床面から垂直にのびる支柱の上端にテーブルを備え、下端に半円形の案内部材を備える側面視コ字状のベッドサイドテーブルが開示されている。このベッドサイドテーブルは、ベッドの側面に引き出しが付いている場合に、ベッド近傍から移動させて引き出しを開ける必要があり、使い勝手が悪いという問題がある。
特許文献2には、昇降可能な支持柱の上端にテーブル板を備え、下端に基板を備える側面視クランク状のベッド用サイドテーブルが開示されている。このサイドテーブルは基板をベッドの床板とマットレスの間に挟み込んで使用するので、ベッド側面の引き出しを使用する際に邪魔にならないという利点がある。
【先行技術文献】
【特許文献】
【０００３】
【特許文献１】特開2015−173896号公報
【特許文献２】特開2015−204893号公報
【考案の概要】
【考案が解決しようとする課題】
【０００４】
しかし、上記特許文献2の技術では以下のような問題がある。
すなわち、1本の支持柱が基板の中央部位から立ち上がっているため、テーブル板が水平面内で回転して位置ずれし易いという構造上の問題がある。
また、使い勝手を考慮すると、テーブル板はベッドに寝た状態の使用者が腕を自然に横方向に移動させた位置、すなわちヘッドボードからある程度離れた位置に存在するのが好ましい。特許文献2の場合、テーブル板をヘッドボードの前面又は側面に接触させることでテーブル板の位置ずれを抑制する仕組みになっているため、テーブル板が使用者の枕元の横に位置することになり、使い辛いという問題もある。
また、蝶ネジで支持柱の高さを調節する構造のため、蝶ネジが緩んだ場合にテーブル板が支持柱から外れてしまうおそれもある。
【０００５】
本考案は上記問題に鑑み、ベッドに対して安定して取り付けることができ、且つ使い勝手に優れたベッドサイドテーブルを提供することを課題とする。
【課題を解決するための手段】
【０００６】
本考案のベッドサイドテーブルは、テーブル板と、第1水平面及び第1鉛直面から成るL字型の第1屈曲板と、第2水平面及び第2鉛直面から成るL字型の第2屈曲板とを備えており、前記第1水平面と前記第2水平面が平行の状態で、前記第1鉛直面と前記第2鉛直面が面ファスナーで脱着自在に固定されることで、第1屈曲板と第2屈曲板はクランク形状を成し、前記テーブル板は前記第1水平面の上面に固定され、前記第2水平面はベッドの床板とマットレスの間に挿入されることを特徴とする。
また、前記テーブル板の一部が前記第1水平面の屈曲方向とは反対方向に露出しており、前記テーブル板の前記露出した部分と、前記第2水平面とで前記マットレスを上下から挟み込むことを特徴とする。
また、前記テーブル板は前記第1水平面の上面に面ファスナーによって脱着自在に固定されることを特徴とする。
また、前記第1鉛直面と前記第2鉛直面とが固定された状態で、一端が前記第1鉛直面の表面に脱着自在に固定され、他端が前記第2鉛直面の表面に脱着自在に固定されることで、前記第1鉛直部と前記第2鉛直部の固定が弱まることを防止する固定補強部材を備えることを特徴とする。
また、前記テーブル板が、その縁部が立ち上がったトレイ形状であることを特徴とする。
【考案の効果】
【０００７】
本考案のベッドサイドテーブルは、第2鉛直面がマットレスの側面に広い範囲で接触（面接触）するので、テーブル板が水平面内で回転して位置ずれする事態を防止でき、ベッドに対して安定して取り付けることができる。
また、第1鉛直面と第2鉛直面を面ファスナーで固定するので、テーブル板に重量物を載せて第1鉛直面と第2鉛直面の接触箇所に大きな剪断力が作用した場合でも、第1鉛直面が第2鉛直面から外れてしまう事態を防止できる。また、面ファスナーを用いることで第1屈曲板（テーブル板）の高さをミリ単位で自在に調節できる。
また、ベッドサイドテーブルをヘッドボードから少し離し、ベッドに寝た状態の使用者が手を自然と移動させた位置に取り付けることにすれば、使用者はテーブル板上の物を最小限の動作で掴んだり、テーブルに戻したりできるのでベッドサイドテーブルの使い勝手が良くなる。
また、第2水平面をベッドの床板とマットレスの間に挿入するだけでベッドサイドテーブルの取り付け作業が完了する。したがって、シーツ交換等の作業性が向上する。
また、テーブル板の露出した部分と第2水平面とでマットレスを上下から挟み込むことにすればベッドサイドテーブルをベッドに対して安定して取り付けることができる。また、テーブル板に載せた物の重量の一部をマットレスで支えることになるので、コーヒーカップ等の重量物も安定して載せることができる。
また、テーブル板を第1水平面に面ファスナーで脱着自在に固定すれば、使用者の体格や用途に応じてテーブル板の水平面内の位置を容易に調節することができる。
また、固定補強部材を用いることにすれば第1鉛直部と第2鉛直部を強固に固定できる。
また、テーブル板をトレイ形状にすればテーブル板から物が落下しにくくなる。
【図面の簡単な説明】
【０００８】
【図１】第1の実施の形態のテーブル板、第1屈曲板、第2屈曲板及び固定補強部材の斜視図(a)、ベッドサイドテーブルの斜視図(b)及びベッドサイドテーブルをベッドに取り付けた状態を示す正面図(c)
【図２】ベッドサイドテーブルをベッドに取り付けた状態を示す平面図(a)及び(b)
【図３】第2の実施の形態のテーブル板、第1屈曲板、第2屈曲板及び固定補強部材の斜視図(a)、ベッドサイドテーブルの斜視図(b)及びベッドサイドテーブルをベッドに取り付けた状態を示す正面図(c)
【図４】ベッドサイドテーブルの変形例を示す斜視図
【図５】第3の実施の形態のベッドサイドテーブルの斜視図(a)及びベッドサイドテーブルをベッドに取り付けた状態を示す正面図(b)
【考案を実施するための形態】
【０００９】
［第1の実施の形態］
本考案のベッドサイドテーブルの第1の実施の形態について説明する。
図1(a)〜(c)に示すようにベッドサイドテーブル1はテーブル板10、第1屈曲板20、第2屈曲板30から概略構成される。
テーブル板10は平面視四角形であり、その縁部が立ち上がったトレイ形状である。具体的には、テーブル板10の縁部の四辺のうち三辺が立ち上がっており、一辺は平らなままになっている。
図2(a)に示すようにテーブル板10の一辺が平らになっている方をベッド100の中央側に向けることで、使用者はテーブル板10に載せた物200を取り易く、また、物200を載せ易くしている。更に、図2(b)に示すように面積が大きい物や重量物の場合、テーブル板10の上だけでなく、テーブル板10の平らになっている箇所を跨ぐようにして物200を乗せれば、テーブル板10とマットレス102の両方で物200を支えることができる。
なお、テーブル板10は四辺が立ち上がっていてもよく、あるいは四辺全てが平らなままでもよい。更に、テーブル板10は平面視四角形に限らず、多角形状、楕円形状、真円形状でもよい。テーブル板10の素材は樹脂、金属、木材等適宜選択すればよい。また、形、色、材質等が異なる複数種類のテーブル板10を用意しておき、用途に応じて付け替えることにしてもよい。
【００１０】
第1屈曲板20は第1水平面21及び第1鉛直面22から成るL字型の部材であり、第2屈曲板30は第2水平面31及び第2鉛直面32から成るL字型の部材である。第1屈曲板20及び第2屈曲板30の素材は樹脂、金属、木材等適宜選択すればよい。
第1水平面21の上面には面ファスナー40を構成する雄面41又は雌面42のいずれか一方（例えば雄面41）を取り付けている。また、テーブル板10の下面には面ファスナー40を構成する雄面41又は雌面42の他方（例えば雌面42）を取り付けている。
そして、第1水平面21の上面にテーブル板10を載せて雄面41と雌面42とを係合させることで、図1(b)に示すように第1水平面21の上面にテーブル板10を固定している。この際に、テーブル板10の一部を第1水平面21の屈曲方向とは反対方向に露出させておく。以下の説明ではこの露出した部分を「露出部11」という。
【００１１】
第1鉛直面22と第2鉛直面32は面ファスナー40で脱着自在に固定される。
具体的には、第1鉛直面22の表面の左右に雄面41又は雌面42のいずれか一方（例えば雄面41）を取り付けており、第2鉛直面32の表面の左右に雄面41又は雌面42の他方（例えば雌面42）を取り付けている。第1水平面21と第2水平面31が平行になるように保持した状態で、第1鉛直面22の雄面41と第2鉛直面32の雌面42とを係合させることで、第1鉛直面22と第2鉛直面32を脱着自在に固定している。第1屈曲板20と第2屈曲板30を固定させるとクランク形状になる。
なお、固定補強部材50を用いて第1鉛直面22と第2鉛直面32の固定をより強固にしてもよい。固定補強部材50はその一端が第1鉛直面22の表面に面ファスナー51で脱着自在に固定され、他端が第2鉛直面32の表面に面ファスナー51で脱着自在に固定される。
【００１２】
次に、ベッド100へのベッドサイドテーブル1の取付方法の一例について説明する。
使用者はまず第2屈曲板30の第2水平面31をベッド100の床板101とマットレス102の間に挿入する。この際に図2に示すようにベッド100のヘッドボード103（ベッド100がヘッドボード103を備えない場合はベッド100の先端）から少し離れた位置、具体的にはベッド100に寝た状態の使用者が手を移動させた場合に自然と届く位置の付近に第2水平面31を挿入するのが好ましい。
次に、使用者はテーブル板10が固定された状態の第1屈曲板20の第1鉛直面22を第2鉛直面32に固定する。この際に使用者はテーブル板10の露出部11と第2水平面31とで形成される空隙の寸法（上下方向の高さ）がマットレス102の高さ（厚さ）とほぼ同一或いは僅かに小さくなるように、第1鉛直面22と第2鉛直面32との固定位置を調節する。
図1(c)に示すようにテーブル板10の露出部11と第2水平面31とでマットレス102を上下から挟み込むことでベッドサイドテーブル1のテーブル100への取付作業が完了する。
なお、上記取付方法は一例であり、他には例えば第2水平面31を床板101とマットレス102の間に挿入し、次にテーブル板10が固定されていない状態の第1屈曲板20を第2屈曲板30に固定し、最後に第1水平面21にテーブル板10を固定してもよく、或いはテーブル板10、第1屈曲板20及び第2屈曲版を各々予め固定した状態で、上記空隙にマットレス102を挟むことにしてもよい。
【００１３】
［第2の実施の形態］
次にベッドサイドテーブルの第2の実施の形態について説明するが、上記第1の実施の形態と同一の構成となる箇所については同一の符号を付してその説明を省略する。
図3(a)〜(c)に示すように、本実施の形態のベッドサイドテーブル2はテーブル板10を第1水平面21に脱着不能に固定してある点に特徴を有する。
テーブル板10と第1水平面21は接着剤で固定したり、或いはテーブル板10と第1水平面21を一体成形したりしてもよい。
テーブル板10を第1水平面21に脱着不能に固定することで、ベッドサイドテーブル2をベッド100に取り付けた状態でテーブル板10のぐらつきを抑制でき、より安定させることができる。
なお、図4に示すように第1鉛直面22と第2鉛直面32の各々の中央にスリット23,24を設けて軽量化を図ってもよい。
【００１４】
［第3の実施の形態］
次にベッドサイドテーブルの第3の実施の形態について説明するが、上記各実施の形態と同一の構成となる箇所については同一の符号を付してその説明を省略する。
図5(a)及び(b)に示すように、本実施の形態のベッドサイドテーブル3は、テーブル板10の一部を第1水平面21の屈曲方向とは反対方向に露出させない点に特徴を有する。
このベッドサイドテーブル3の場合、テーブル板10をマットレス102の表面よりも低い位置に取り付けることができる。したがって、テーブル板10の一部がマットレス102の表面を覆って邪魔になることがないという利点がある。
【産業上の利用可能性】
【００１５】
本考案は、ベッドに対して安定して取り付けることができ、且つ使い勝手に優れたベッドサイドテーブルに関するものであり、産業上の利用可能性を有する。
【符号の説明】
【００１６】
1 ベッドサイドテーブル
2 ベッドサイドテーブル
3 ベッドサイドテーブル
10 テーブル板
11 露出部
20 第1屈曲板
21 第1水平面
22 第1鉛直面
23,24 スリット
30 第2屈曲板
31 第2水平面
32 第2鉛直面
40 面ファスナー
41 雄面
42 雌面
50 固定補強部材
51 面ファスナー
100 ベッド
101 床板
102 マットレス
103 ヘッドボード
200 物
【図１】
0003214554.tif 000003
【図２】
0003214554.tif 000004
【図３】
0003214554.tif 000005
【図４】
0003214554.tif 000006
【図５】
0003214554.tif 000007